(57)【要約】  【課題】  ＣＣＤの位置調整機構の組み立て作業を容易に且つ低コストで行うことができる画像読取装置を提供する。  【解決手段】  １３ａ、１３ｂは保持部材１０の上下方向の位置を調整する調整用ネジであり、第１舌片１０ｂを貫通するとともに第２舌片１１ｂに設けられたネジ穴１１ｄ、１１ｅに螺合されている。ガイド部材１１の第２舌片１１ｂの左右２箇所に設けられた係合穴１８ａ、１８ｂと、保持部材１０の下部に設けられた係止部１９ａ、１９ｂの間には、それぞれバネ２０ａ、２０ｂが上下に掛け渡されている。保持部材１０は、バネ２０ａ、２０ｂにより上方向に付勢されているため、調整用ネジ１３ａの頭部は第１舌片１０ｂの上面と常に当接し、保持部材１０は調整用ネジ１３ａによりバネ２０ａ、２０ｂの付勢力による上方向への移動を制限されている。【選択図】      図１
2005268836.tif 000002
【特許請求の範囲】
【請求項１】
原稿を照明し、原稿からの反射光を画像光として結像する走査光学系と、前記走査光学系により結像された画像光を読み取る光電変換素子と、前記光電変換素子が搭載される保持部材と、前記保持部材を上下に摺動可能に支持するガイド部材と、を備え、原稿を走査して原稿画像を読み取る画像読取装置において、
前記保持部材は、垂直に配置される第１面と、前記第１面から水平方向に突出した第１舌片と、前記第１面の下部に設けられた係止部とを有し、前記ガイド部材は、前記保持部材の第１面と平行な第２面と、前記第２面から前記第１舌片と同一方向に水平に突出した第２舌片とを有し、前記第１舌片及び前記第２舌片の間隔を調整するためのネジ部材が前記第１舌片と前記第２舌片との間に配設されているとともに、前記第２舌片と前記係止部との間にバネ部材が連結されており、前記ネジ部材の回転により前記保持部材の上下方向の位置を調整可能としたことを特徴とする画像読取装置。
【請求項２】
前記保持部材は、前記ガイド部材の上側に配置されており、前記ネジ部材は、前記第１舌片を摺動可能に貫通するとともに前記第２舌片に設けられたネジ穴に螺合されていることを特徴とする請求項１に記載の画像読取装置。
【請求項３】
前記保持部材は、前記ガイド部材の下側に配置されており、前記ネジ部材は、前記第２舌片に設けられたネジ穴に螺合されていることを特徴とする請求項１に記載の画像読取装置。
【請求項４】
原稿を照明し、原稿からの反射光を画像光として結像する走査光学系と、前記走査光学系により結像された画像光を読み取る光電変換素子と、前記光電変換素子が搭載される保持部材と、前記保持部材を上下に摺動可能に支持するガイド部材と、を備え、原稿を走査して原稿画像を読み取る画像読取装置において、
前記保持部材は、垂直に配置される第１面と、前記第１面から水平方向に突出した第１舌片とを有し、前記ガイド部材は、前記保持部材の第１面と平行な第２面と、前記第２面から前記第１舌片と同一方向に水平に突出した第２舌片と、前記第２面の下部に設けられた係止部とを有し、前記第１舌片及び前記第２舌片の間隔を調整するためのネジ部材が前記第１舌片と前記第２舌片との間に配設されているとともに、前記第１舌片と前記係止部との間にバネ部材が連結されており、前記ネジ部材の回転により前記保持部材の上下方向の位置を調整可能としたことを特徴とする画像読取装置。
【請求項５】
前記保持部材は、前記ガイド部材の上側に配置されており、前記ネジ部材は、前記第１舌片に設けられたネジ穴に螺合されていることを特徴とする請求項４に記載の画像読取装置。
【請求項６】
前記保持部材は、前記ガイド部材の下側に配置されており、前記ネジ部材は、前記第２舌片を摺動可能に貫通するとともに前記第１舌片に設けられたネジ穴に螺合されていることを特徴とする請求項４に記載の画像読取装置。
【発明の詳細な説明】
【技術分野】
【０００１】
本発明は、原稿を照明して画像光を形成し、その画像光を受光して読み取る読取手段を備えたデジタル複写機やファクシミリ等に用いられる画像読取装置に関する。
【背景技術】
【０００２】
図１０に、従来の画像読取装置の概略図を示す。１は原稿であり、図示しない原稿台、即ちコンタクトガラス上に原稿面を下に向けて載置されている。このコンタクトガラスは装置本体２の上部に取り付けられている。また、装置本体２内部には一対の案内部材としての案内レール３を互いに平行に固定してある。更にこの案内レール３はコンタクトガラスと平行になっている。
【０００３】
４は原稿を照明する照明ユニットであり、光源、ミラー（いずれも図示せず）等から構成される。５はミラー５ａ等から成るミラーユニットである。照明ユニット４及びミラーユニット５は走査装置としてコロ等の転動体（図示せず）により案内レール３上を矢印Ａ、Ｂの方向に往復移動して原稿を走査し、画像光を形成する。装置本体２の前後方向のフレーム間には板状の支持部材（以下、ＩＳＵベースという）６が取り付けられており、ＩＳＵベース６の上面には画像光を縮小して結像させる集光レンズ７及び読取手段としての光電変換素子（以下、ＣＣＤという）８が搭載されている。照明ユニット４、ミラーユニット５及び集光レンズ７は、原稿を照明し、原稿からの反射光を画像光として結像する走査光学系を構成する。
【０００４】
このようにして、コンタクトガラス、照明ユニット４、ミラーユニット５、集光レンズ７及びＣＣＤ８の各部品相互の位置が決定される。上記構成においては、照明ユニット４の光源により原稿１を照明するとともに、照明ユニット４は所定の速度で矢印Ａ方向に移動し、ミラーユニット５は照明ユニット４の１／２の速度で同方向に移動して原稿１を走査する。その結果、照明ユニット４の照明により形成された画像光Ｄはミラー５ａ等を介して集光レンズ７に導かれ、集光された後ＣＣＤ８上に結像される。結像された画像光ＤはＣＣＤ８において画素分解され、各画素の濃度に応じた電気信号に変換されて画像の読み取りが行われる。
【０００５】
上記の画像読取装置においては、集光レンズ７の縮小率が大きいため、実際の画像が縮小された画像光がＣＣＤ８に入射し、それを画像信号に変換する。そのため、ＣＣＤ８に入射する光軸の僅かなずれによってもＣＣＤ８の読み取り性能に大きな影響を与え、画像、文字ぶれや、カラーＣＣＤを用いた場合には色ずれが発生するという問題点があった。この光軸ずれは、ＣＣＤ８の寸法公差や画像読取装置の組み立て時における各光学部材の設置位置のばらつき、及び走査装置の往復移動に伴う振動等に起因する。
【０００６】
そこで、読取装置内におけるＣＣＤの位置を調整してＣＣＤに入射する光軸を補正する必要が生じるが、ＣＣＤの位置を調整する方法としては、特許文献１に記載されているように調整用ネジを用いるのが一般的である。さらに、微調整を可能にするとともに調整後のがたつきを防止するため、図１１に示すように調整用ネジにバネを組み合わせた調整機構が採用されている。
【０００７】
図１１は、従来の画像読取装置のＣＣＤ周辺を図１０の矢印Ａ方向から見た部分概略図である。集光レンズ７はレンズ支持台９上に設置されており、レンズ支持台９はＩＳＵベース６（図１０参照）に固定される。１０はＣＣＤ８（図１０参照）が搭載された保持部材であり、垂直状に配置される第１面１０ａと、第１面１０ａの上端部から集光レンズ７側（図の紙面手前側）に水平に突出する第１舌片１０ｂを有している。
【０００８】
保持部材１０は後述するガイド部材１１に上下に摺動可能に支持されている。ガイド部材１１はレンズ支持台９に対して垂直に固定される第２面１１ａと、第２面１１ａの上端部から第１舌片１０ｂと同一方向に水平に突出する第２舌片１１ｂを有している。第２面１１ａの中央部には矩形の窓部１１ｃが設けられ、集光レンズ７を通過したビーム光は窓部１１ｃを通って保持部材１０に搭載されたＣＣＤ８上に結像される。
【０００９】
保持部材１０は、ガイド部材１１に対して前後方向（図の紙面方向）に傾斜しないように左右両端部に設けられたヘッダーピン１２ａ、１２ｂ及び圧縮バネ（図示せず）により第１面１０ａが所定の圧力でガイド部材１１の第２面１１ａに圧着されている。１３ａ、１３ｂは保持部材１０の上下方向の位置を調整する調整用ネジであり、第１舌片１０ｂを貫通するとともに第２舌片１１ｂに設けられたネジ穴１１ｄ、１１ｅに螺合されている。１４ａ、１４ｂは第２舌片１１ｂの上面左右に設けられた位置決めピンであり、第１舌片１０ｂに設けられたガイド穴（図示せず）に遊嵌されて保持部材１０の水平方向の位置決めを行う。
【００１０】
１５は保持部材１０を上方向に付勢する圧縮バネであり、調整用ネジ１３ａ、１３ｂが内部を貫通するように配設されている。調整用ネジ１３ａ、１３ｂ及び圧縮バネ１５は保持部材１０の上下方向の位置決めを行う位置調整手段を構成している。この圧縮バネ１５の付勢力により調整用ネジ１３ａ、１３ｂの頭部が常に第１舌片１０ｂの上面に接しているため、調整用ネジ１３ａ、１３ｂを締め付け若しくは弛める方向に回転させることにより、保持部材１０がガイド部材１１に沿って上下方向に移動する。この構成により、ＣＣＤ８に入射する光軸の微調整が可能となる。
【００１１】
しかしながら、画像読取装置の組み立て時に圧縮バネ１５を第１舌片１０ｂと第２舌片１１ｂとの隙間に組み込む作業は繁雑であり、作業効率も悪くなる。また、圧縮バネ１５を保持部材１０とガイド部材１１との間隔の広い部分に装着することも考えられるが、その場合、圧縮バネが水平方向にずれないように、圧縮バネ内を貫通若しくは圧縮バネの周囲を囲むような支持構造が必要となるため、保持部材１０及びガイド部材１１の構造が複雑なものとなる。
【００１２】
図１２は、図１１に示した調整用ネジ１３ａ、１３ｂ及び圧縮バネ１５に代えて、ヘッダーピン及び板バネを用いてＣＣＤ８の位置調整手段を構成したものである。位置決めピン１４ａ、１４ｂには保持部材１０を下方向に付勢する板バネ１６が装着されており、保持部材１０はヘッダーピン１２ｃ、１２ｄの鍔部１２ｃａ、１２ｄａと板バネ１６との間に挟持されている。ヘッダーピン１２ｃ、１２ｄの下部は第２舌片１１ｂに設けられたネジ穴１１ｄ、１１ｅに螺入されている。その他の構成は図１１と同様である。
【００１３】
板バネ１６の付勢力によりヘッダーピン１２ｃ、１２ｄの鍔部１２ｃａ、１２ｄａが常に第１舌片１０ｂの下面に接しているため、ヘッダーピン１２ｃ、１２ｄを回転させることにより、保持部材１０がガイド部材１１に沿って上下方向に移動する。この構成によれば、圧縮バネを用いる場合に比べ組み立て作業は容易となるものの、ヘッダーピンや板バネは調整用ネジや圧縮バネに比べて高価なため、画像読取装置の高コスト化につながるという問題点があった。
【特許文献１】特開平４−１１７７５７号公報
【発明の開示】
【発明が解決しようとする課題】
【００１４】
本発明は、上記問題点に鑑み、画像光を読み取るＣＣＤの位置調整機構の組み立て作業を容易に且つ低コストで行うことができる画像読取装置を提供することを目的とする。
【課題を解決するための手段】
【００１５】
上記目的を達成するために本発明は、原稿を照明し、原稿からの反射光を画像光として結像する走査光学系と、前記走査光学系により結像された画像光を読み取る光電変換素子と、前記光電変換素子が搭載される保持部材と、前記保持部材を上下に摺動可能に支持するガイド部材と、を備え、原稿を走査して原稿画像を読み取る画像読取装置において、前記保持部材は、垂直に配置される第１面と、前記第１面から水平方向に突出した第１舌片と、前記第１面の下部に設けられた係止部とを有し、前記ガイド部材は、前記保持部材の第１面と平行な第２面と、前記第２面から前記第１舌片と同一方向に水平に突出した第２舌片とを有し、前記第１舌片及び前記第２舌片の間隔を調整するためのネジ部材が前記第１舌片と前記第２舌片との間に配設されているとともに、前記第２舌片と前記係止部との間にバネ部材が連結されており、前記ネジ部材の回転により前記保持部材の上下方向の位置を調整可能としたことを特徴としている。
【００１６】
また本発明は、上記構成の画像読取装置において、前記保持部材は、前記ガイド部材の上側に配置されており、前記ネジ部材は、前記第１舌片を摺動可能に貫通するとともに前記第２舌片に設けられたネジ穴に螺合されていることを特徴としている。
【００１７】
また本発明は、上記構成の画像読取装置において、前記保持部材は、前記ガイド部材の下側に配置されており、前記ネジ部材は、前記第２舌片に設けられたネジ穴に螺合されていることを特徴としている。
【００１８】
また本発明は、原稿を照明し、原稿からの反射光を画像光として結像する走査光学系と、前記走査光学系により結像された画像光を読み取る光電変換素子と、前記光電変換素子が搭載される保持部材と、前記保持部材を上下に摺動可能に支持するガイド部材と、を備え、原稿を走査して原稿画像を読み取る画像読取装置において、前記保持部材は、垂直に配置される第１面と、前記第１面から水平方向に突出した第１舌片とを有し、前記ガイド部材は、前記保持部材の第１面と平行な第２面と、前記第２面から前記第１舌片と同一方向に水平に突出した第２舌片と、前記第２面の下部に設けられた係止部とを有し、前記第１舌片及び前記第２舌片の間隔を調整するためのネジ部材が前記第１舌片と前記第２舌片との間に配設されているとともに、前記第１舌片と前記係止部との間にバネ部材が連結されており、前記ネジ部材の回転により前記保持部材の上下方向の位置を調整可能としたことを特徴としている。
【００１９】
また本発明は、上記構成の画像読取装置において、前記保持部材は、前記ガイド部材の上側に配置されており、前記ネジ部材は、前記第１舌片に設けられたネジ穴に螺合されていることを特徴としている。
【００２０】
また本発明は、上記構成の画像読取装置において、前記保持部材は、前記ガイド部材の下側に配置されており、前記ネジ部材は、前記第２舌片を摺動可能に貫通するとともに前記第１舌片に設けられたネジ穴に螺合されていることを特徴としている。
【発明の効果】
【００２１】
本発明の第１の構成によれば、ＣＣＤが搭載される保持部材の下部に設けられた係止部とガイド部材の第２舌片との間に上下方向にバネを連結したので、保持部材には上方向若しくは下方向の付勢力がはたらき、ネジ部材により保持部材の位置を微調整する際に保持部材の上下方向のがたつきを防止する。また、圧縮バネを用いる場合に比べてバネの取り付け作業が容易となり、作業効率も向上する。
【００２２】
また、本発明の第２の構成によれば、上記第１の構成の画像読取装置において、保持部材がガイド部材の上側に配置されており、ネジ部材が第１舌片を摺動可能に貫通するとともに第２舌片に設けられたネジ穴に螺合されるので、バネの付勢力により第１舌片の上面が常にネジ部材の頭部に当接し、保持部材のがたつきを防止する。
【００２３】
また、本発明の第３の構成によれば、上記第１の構成の画像読取装置において、保持部材がガイド部材の下側に配置されており、ネジ部材が第２舌片に設けられたネジ穴に螺合されるので、バネの付勢力により第１舌片の上面が常にネジ部材の先端部に当接し、保持部材のがたつきを防止する。
【００２４】
また、本発明の第４の構成によれば、ＣＣＤが搭載される保持部材の第１舌片とガイド部材の下部に設けられた係止部との間に上下方向にバネを連結したので、保持部材には上方向若しくは下方向の付勢力がはたらき、ネジ部材により保持部材の位置を微調整する際に保持部材の上下方向のがたつきを防止する。また、圧縮バネを用いる場合に比べてバネの取り付け作業が容易となり、作業効率も向上する。
【００２５】
また、本発明の第５の構成によれば、上記第４の構成の画像読取装置において、保持部材がガイド部材の上側に配置されており、ネジ部材が第２舌片に設けられたネジ穴に螺合されるので、バネの付勢力により第２舌片の上面が常にネジ部材の先端部に当接し、保持部材のがたつきを防止する。
【００２６】
また、本発明の第６の構成によれば、上記第４の構成の画像読取装置において、保持部材がガイド部材の下側に配置されており、ネジ部材が第２舌片を摺動可能に貫通するとともに第１舌片に設けられたネジ穴に螺合されるので、バネの付勢力により第２舌片の上面が常にネジ部材の頭部に当接し、保持部材のがたつきを防止する。
【発明を実施するための最良の形態】
【００２７】
以下に本発明の実施形態を図面を参照して説明する。図１は、本発明の第１実施形態に係る画像読取装置のＣＣＤ周辺の概略斜視図である。従来例の図１１と共通する部分には同一の符号を付して説明を省略する。本実施形態においては、調整用ネジ１３ａ、１３ｂの頭部が常に第１舌片１０ｂに接するように保持部材１０を付勢するため、従来例の圧縮バネに代えて、引っ張りバネを用いている。
【００２８】
図１において、ガイド部材１１の第２舌片１１ｂの左右２箇所に設けられた係合穴１８ａ、１８ｂと、保持部材１０の下部に設けられた係止部１９ａ、１９ｂの間には、それぞれバネ２０ａ、２０ｂが上下に掛け渡されている。これにより、保持部材１０はバネ２０ａ、２０ｂにより上方向、即ち第１舌片１０ｂが第２舌片１１ｂから離反する方向に付勢されている。
【００２９】
図２は、ＣＣＤ周辺の構成を側面（図１の矢印Ａ方向）から見た概略図である。なお、ここではバネ２０ａ側（図１の左側）についてのみ説明するが、バネ２０ｂ側についても全く同様に説明される。同図に示すように、保持部材１０は第１面１０ａ及び第１舌片１０ｂ、ガイド部材１１は第２面１１ａ及び第２舌片１１ｂから成る断面が逆Ｌ字状の部分を有しており、保持部材１０は上方向からガイド部材１１に重なるように配置されている。２１はＣＣＤ８（図示せず）が搭載されたＣＣＤ基板であり、図示しないビス等の固定手段により第１面１０ａの背面に固定されている。ヘッダーピン１２ａは、圧縮バネ２２、第１面１０ａ、及び第２面１１ａをこの順に貫通しており、第２面１１ａの前面でナット２３が螺合されている。
【００３０】
また、保持部材１０の係止部１９ａと第２舌片１１ｂの係合穴１８ａに連結されたバネ２０ａによって保持部材１０が上方向に付勢されており、調整用ネジ１３ａの頭部は常に第１舌片１０ｂの上面と接している。これにより、調整用ネジ１３ａの回転方向及び回転量に応じて保持部材１０が上下方向（図の矢印ＡＡ′方向）に所定距離だけ移動するため、保持部材１０に搭載されたＣＣＤ８に集光レンズ７から入射する光軸を上下方向に微調整することができる。
【００３１】
図３は、ＣＣＤ周辺の構成を背面から見た概略図である。圧縮バネ２２は、ヘッダーピン１２ａ、１２ｂの鍔部１２ａａ、１２ｂａと第２面１１ａとの間に挟持されており、第１面１０ａ及び第２面１１ａを所定の圧力により圧着保持する。１０ｃは第１面１０ａに設けられたヘッダーピン１２ａ、１２ｂのガイド孔であり、上下方向に長穴に形成されている。この構成により、保持部材１０はヘッダーピン１２ａ、１２ｂ及び圧縮バネ２２により前後方向（図の矢印ＢＢ′方向）に傾斜することなく保持され、ガイド孔１０ｃの範囲で第２面１１ａに沿って上下に摺動可能に構成されている。
【００３２】
調整用ネジによる調整機構を更に詳細に説明する。図４は、本実施形態の調整用ネジ周辺（図１の円Ｓ部分）の断面拡大図である。調整用ネジ１３ａは、ワッシャ２４及び第１舌片１０ｂの開口穴１０ｄを貫通し、開口穴１０ｄに垂直方向に重なる第２舌片１１ｂのネジ穴１１ｄに螺合している。保持部材１０はバネ２０ａ、２０ｂ（図１参照）により上方向に付勢されているため、調整用ネジ１３ａの頭部１３ａａは第１舌片１０ｂの上面と常に当接し、保持部材１０は頭部１３ａａによりバネ２０ａ、２０ｂの付勢力による上方向への移動を制限されている。
【００３３】
この状態で調整用ネジ１３ａをネジ穴１１ｄに螺入する方向に回転させると、頭部１３ａａは下方向に移動するため保持部材１０は頭部１３ａａによりバネの付勢力に抗して下方向へ移動する。一方、調整用ネジ１３ａを弛める方向に回転させると、頭部１３ａａは上方向に移動するため、保持部材１０はバネの付勢力により頭部１３ａａに追従して上方向に移動する。
【００３４】
本実施形態においては、保持部材１０とガイド部材１１との間にバネ２０ａ、２０ｂを連結して保持部材１０を付勢することを特徴とするものである。バネ２０ａ、２０ｂの装着は、係合穴１８ａ、１８ｂ及び係止部１９ａ、１９ｂにバネ２０ａ、２０ｂの両端部を掛け渡すのみであり、従来の圧縮バネの組み込み作業に比べて容易であり、画像読取装置の組み立て時の作業効率も向上する。
【００３５】
なお、ここではバネ２０ａ、２０ｂを連結する係合穴１８ａ、１８ｂを第２舌片１１ｂに、係止部１９ａ、１９ｂを保持部材１０の下端部に設けているが、係合穴１８ａ、１８ｂ或いは係止部１９ａ、１９ｂを設ける位置はこれに限定されるものではない。しかし、バネ２０ａ、２０ｂの弾性力を効率良く利用するためには、本実施形態のようにガイド部材１１の上端部と保持部材１０の下端部に連結することが好ましい。
【００３６】
また、バネ２０ａ、２０ｂは左右両端部以外の位置に連結することも可能であるが、バネ２０ａ、２０ｂの付勢力を保持部材１０に均等に付与するためには左右対称となる位置に連結するのが好ましく、さらに本実施形態のように両端部に連結した場合、バネ２０ａ、２０ｂの弾性力を効率良く利用でき、取り付けスペースの面でも有利となる。なお、バネは３本以上連結しても良いが、左右２箇所に連結するのみで十分な付勢力が得られる。
【００３７】
図５は、本発明の第２実施形態に係る画像読取装置のＣＣＤ周辺の概略正面図である。図１と共通する部分には同一の符号を付して説明を省略する。本実施形態においては、第１舌片１０ｂの上部に係合穴１８ａ、１８ｂを設け、ガイド部材１１の下部に係止部１９ａ、１９ｂを設けてバネ２０ａ、２０ｂを連結している。即ち、第１実施形態とは逆に、保持部材１０には下方向、即ち第１舌片１０ｂが第２舌片１１ｂに接近する方向の付勢力が付与されることとなる。
【００３８】
そのため、調整用ネジによる調整機構も第１実施形態とは異なっている。図６は、本実施形態の調整用ネジ周辺（図５の円Ｓ部分）の断面拡大図である。本実施形態では、調整用ネジ１３ａは、第１舌片１０ｂに設けられたネジ穴１０ｅに螺入されて保持部材１０を貫通しており、調整用ネジ１３ａの先端部１３ａｂが第２舌片１１ｂの上面に当接している。保持部材１０はバネ２０ａ、２０ｂ（図５参照）により下方向に付勢されているため、先端部１３ａｂは第２舌片１１ｂの上面と常に当接し、保持部材１０は調整用ネジ１３ａとネジ穴１０ｅとの螺合によりバネ２０ａ、２０ｂの付勢力による下方向への移動を制限されている。
【００３９】
この状態で調整用ネジ１３ａをネジ穴１０ｅに螺入する方向に回転させると、先端部１３ａｂは下方向に移動するため、保持部材１０は反作用により付勢力に抗して上方向へ移動する。一方、調整用ネジ１３ａを弛める方向に回転させると、先端部１３ａｂは上方向に移動するため、保持部材１０は付勢力により下方向に移動する。これにより、第１実施形態と同様に保持部材１０を上下方向に所定量移動させて、集光レンズ７からＣＣＤ８に入射する光軸を微調整することができる。
【００４０】
図７は、本発明の第３実施形態に係る画像読取装置のＣＣＤ周辺の概略側面図である。図２と共通する部分には同一の符号を付して説明を省略する。本実施形態においては、第１実施形態とは異なり、第１舌片１０ｂ及び第２舌片１１ｂはＣＣＤ基板２１の方向（図の左方向）に突出しており、保持部材１０は下方向からガイド部材１１に重なるように配置されている。
【００４１】
この構成によれば、第１実施形態と同様に保持部材１０には上方向の付勢力が付与されるが、保持部材１０及びガイド部材１１の位置関係が逆になるため、第２実施形態と同様に第１舌片１０ｂと第２舌片１１ｂとが接近する方向に付勢されることとなる。そのため、本実施形態においても、図６に示した調整機構を用いて保持部材１０の位置を上下方向（図の矢印ＡＡ′方向）に微調整することができる。
【００４２】
なお、図７において、第２実施形態のように第１舌片１０ｂに係合穴１８ａを設け、ガイド部材１１の下部に係止部１９ａを設けてバネ２０ａを連結することもできる。その場合、保持部材１０には下方向の付勢力が付与され、第１舌片１０ｂと第２舌片１１ｂとが離反する方向に付勢されることとなるため、第１実施形態と同様の調整機構（図４参照）を用いて保持部材１０の微調整が可能となる。
【００４３】
図８は、本発明の第４実施形態に係る画像読取装置のＣＣＤ周辺の概略正面図である。図５と共通する部分には同一の符号を付して説明を省略する。本実施形態は、第２実施形態の構成において、調整用ネジ１３ａ、１３ｂに代えてヘッダーピン１２ｃ、１２ｄを用いて保持部材１０の位置を調整するようにしたものである。
【００４４】
図９は、本実施形態のヘッダーピン周辺（図８の円Ｓ部分）の断面拡大図である。ヘッダーピン１２ｃは、第１舌片１０ｂの開口穴１０ｄを貫通し、開口穴１０ｄに垂直方向に重なる第２舌片１１ｂのネジ穴１１ｄに螺合している。保持部材１０はバネ２０ａ、２０ｂ（図８参照）により下方向に付勢されているため、ヘッダーピン１２ｃの鍔部１２ｃａは第１舌片１０ｂの下面と常に当接し、保持部材１０は鍔部１２ｃａによりバネ２０ａ、２０ｂの付勢力による下方向への移動を制限されている。
【００４５】
この状態でヘッダーピン１２ｃをネジ穴１１ｄに螺入する方向に回転させると、鍔部１２ｃａは下方向に移動するため、保持部材１０は付勢力により鍔部１２ｃａに追従して下方向へ移動する。一方、調整用ネジ１３ａを弛める方向に回転させると、鍔部１２ｃａは上方向に移動するため、保持部材１０は鍔部１２ｃａにより付勢力に抗して上方向に移動する。これにより、第１乃至第３実施形態と同様に保持部材１０を上下方向に所定量移動させて、集光レンズ７からＣＣＤ８に入射する光軸を微調整することができる。
【００４６】
上記各実施形態においては、保持部材１０の位置調整手段として引っ張りバネと調整用ネジ及びヘッダーピンとの組み合わせについてのみ説明したが、保持部材１０の位置を微調整可能な機構であれば、引っ張りバネを調整用ネジ及びヘッダーピン以外の調整手段と組み合わせることもできる。
【産業上の利用可能性】
【００４７】
本発明は、原稿を照明し、原稿からの反射光を画像光として結像する走査光学系と、走査光学系により結像された画像光を読み取る光電変換素子と、光電変換素子が搭載される保持部材と、保持部材を上下に摺動可能に支持するガイド部材と、を備え、原稿を走査して原稿画像を読み取る画像読取装置において、保持部材は、垂直に配置される第１面と、第１面から水平方向に突出した第１舌片と、第１面の下部に設けられた係止部とを有し、ガイド部材は、保持部材の第１面と平行な第２面と、第２面から第１舌片と同一方向に水平に突出した第２舌片とを有し、第１舌片及び第２舌片の間隔を調整するためのネジ部材が第１舌片と第２舌片との間に配設されているとともに、第２舌片と係止部との間にバネ部材が連結されており、ネジ部材の回転により保持部材の上下方向の位置を調整可能としたこととする。
【００４８】
これにより、保持部材には上方向若しくは下方向の付勢力がはたらき、ネジ部材により保持部材の位置を微調整する際に保持部材の上下方向のがたつきを防止する。また、第１舌片と第２舌片との間にバネを装着する場合に比べてバネの取り付け作業が容易となり、バネを保持する構成も必要としないため、保持部材及びガイド部材の構造の簡素化及び作業効率の向上を実現でき、画像読取装置の組み立てを容易にするとともに装置の低コスト化にも貢献する。
【００４９】
また、保持部材が、ガイド部材の上方、若しくは下方のいずれに配置されている場合でも、調整用ネジにより保持部材の位置を上下方向に微調整可能となるため、ＣＣＤに入射する光軸の微調整が簡便且つ低コストで可能となる。
【００５０】
また、バネの下端を係止する係止部をガイド部材の下部に設け、第１舌片と係止部との間にバネを連結させた場合においても、画像読取装置の組み立て作業が容易となり、且つ調整用ネジにより簡単な構成で保持部材を上下方向に微調整可能となる。
【図面の簡単な説明】
【００５１】
【図１】は、本発明の第１実施形態に係る画像読取装置におけるＣＣＤ周辺の構成を示す斜視図である。
【図２】は、第１実施形態に係る画像読取装置におけるＣＣＤ周辺の構成を示す側面図である。
【図３】は、第１実施形態に係る画像読取装置におけるＣＣＤ周辺の構成を示す背面図である。
【図４】は、図１における調整用ネジ付近の拡大図である。
【図５】は、本発明の第２実施形態に係る画像読取装置におけるＣＣＤ周辺の構成を示す正面図である。
【図６】は、図５における調整用ネジ付近の拡大図である。
【図７】は、本発明の第３実施形態に係る画像読取装置におけるＣＣＤ周辺の構成を示す側面図である。
【図８】は、本発明の第４実施形態に係る画像読取装置におけるＣＣＤ周辺の構成を示す正面図である。
【図９】は、図８におけるヘッダーピン付近の拡大図である。
【図１０】は、従来の画像読取装置の全体構成を示す概略図である。
【図１１】は、従来の画像読取装置におけるＣＣＤ周辺の構成を示す正面図である。
【図１２】は、従来の画像読取装置におけるＣＣＤ周辺の他の構成を示す正面図である。
【符号の説明】
【００５２】
１      原稿
２      装置本体
３      案内レール
４      照明ユニット
５      ミラーユニット
６      ＩＳＵベース
７      集光レンズ
８      ＣＣＤ
９      レンズ支持台
１０    保持部材
１０ａ  第１面
１０ｂ  第１舌片
１１    ガイド部材
１１ａ  第２面
１１ｂ  第２舌片
１２ａ、１２ｂ、１２ｃ、１２ｄ    ヘッダーピン
１３ａ、１３ｂ    調整用ネジ
１５    圧縮バネ
１６    板バネ
１８ａ、１８ｂ    係合穴
１９ａ、１９ｂ    係止部
２０ａ、２０ｂ    バネ
２１    ＣＣＤ基板
２２    圧縮バネ
【図１】
2005268836.tif 000003
【図２】
2005268836.tif 000004
【図３】
2005268836.tif 000005
【図４】
2005268836.tif 000006
【図５】
2005268836.tif 000007
【図６】
2005268836.tif 000008
【図７】
2005268836.tif 000009
【図８】
2005268836.tif 000010
【図９】
2005268836.tif 000011
【図１０】
2005268836.tif 000012
【図１１】
2005268836.tif 000013
【図１２】
2005268836.tif 000014